(57)【要約】【課題】屋内に居てもガス使用量や異常遮断表示を確認できるようにすること。【解決手段】家庭で使用するガス使用量を計測すると共に異常時にガスの供給を遮断するガスメータ５と、器具１の運転操作及び運転の状態を表示する機能を有するリモコン２とを備え、ガスメータ５とリモコン２を双方向に情報の伝達が可能な形態で接続し、ガスメータ５からリモコン２に対して、ガス使用量の情報あるいは異常遮断情報を伝達し、リモコン２からガスメータ５に対して、所定の操作指示情報を伝達するようにしたものである。【選択図】図１
2008224207.tif 000002
【特許請求の範囲】
【請求項１】
ガスメータの各種情報を屋内で確認することが可能なガス供給システムであって、
家庭で使用するガス使用量を計測すると共に異常時にガスの供給を遮断するガスメータと、
器具の運転操作及び運転の状態を表示する機能を有するリモコンと、を備え、
ガスメータとリモコンを双方向に情報の伝達が可能な形態で接続し、
ガスメータからリモコンに対して、ガス使用量の情報あるいは異常遮断情報を伝達し、
リモコンからガスメータに対して、所定の操作指示情報を伝達する、ガス供給システム。
【請求項２】
リモコンの表示部に、器具の運転状態とガスメータからの使用量情報及び異常遮断情報を表示するようにした請求項１記載のガス供給システム。
【請求項３】
リモコンに設けたスイッチの操作で、器具の運転操作とガスメータの遮断復帰動作を行うようにした請求項１記載のガス供給システム。
【発明の詳細な説明】
【技術分野】
【０００１】
本発明は、一般家庭におけるガス供給システムに関し、更に詳しくはガス給湯器のリモコンとガスメータとの情報伝達に関するものである。
【背景技術】
【０００２】
図２に示すように従来ガス給湯器１はガスを燃料とし水を加熱し湯を台所や浴室に供給するものであり、給湯器１の運転操作をするスイッチ３と給湯器１の運転状態を表示する表示器４を有するリモコン２が接続されていた。
【０００３】
また、ガスメータ５は給湯器１等に供給するガス量を計測しガス使用量を表示すると共にガス量の異常な使用時には内蔵する弁７を閉じて給湯器１等へのガス供給を遮断し、ＬＥＤ等の表示部１０によりガス供給を遮断したことを表示していた。
【０００４】
そして閉じた弁７を開けて給湯器１等へのガス供給を復帰するスイッチ１１とを有していた。
【０００５】
したがって、従来の一般家庭におけるガス供給システムでは、ガス給湯器１とガスメータ５とは単にガス管６で接続されているだけであり、ガス給湯器１のリモコン２とガスメータ５との間において情報の伝達は一切無かった。
【発明の開示】
【発明が解決しようとする課題】
【０００６】
しかしながら、上記従来の一般家庭におけるガス供給システムでは、ガスメータのガス使用量、異常遮断表示やガス供給を復帰するスイッチはガスメータ単体にあるだけで、一般にガスメータは屋外に設置されているため、ガス使用量や異常遮断表示を見る時やガス供給の遮断を復帰するために復帰スイッチを操作する時には屋外に出る必要があり、不便であった。
【０００７】
本発明は、上記従来の課題を解決するもので、屋内に居ながらにしてガス使用量や異常遮断表示を見ること、あるいは屋内からガス供給の遮断を復帰するスイッチを操作すること、ができるガス供給システムを提供することを目的とするものである。
【課題を解決するための手段】
【０００８】
上記目的を達成するために本発明のガス供給システムは、ガスメータの各種情報を屋内で確認することが可能なガス供給システムであって、家庭で使用するガス使用量を計測すると共に異常時にガスの供給を遮断するガスメータと、器具の運転操作及び運転の状態を表示する機能を有するリモコンとを備え、ガスメータとリモコンを双方向に情報の伝達が可能な形態で接続し、ガスメータからリモコンに対して、ガス使用量の情報あるいは異常遮断情報を伝達し、リモコンからガスメータに対して、所定の操作指示情報を伝達するようにしたものである。
【０００９】
上記発明によれば、リモコンとガスメータとの間において情報の伝達ができ、リモコンの表示部にガスメータの情報を表示することや、リモコンのスイッチを操作することによりガスメータの状態を制御することができる。
【発明の効果】
【００１０】
本発明のガス供給システムは、器具の遠隔操作用リモコンに、器具の運転状態とガスメ
ータからの使用量情報又は異常遮断情報を表示することができる。また、リモコンに設けたスイッチの操作で、器具の運転操作とガスメータの遮断復帰動作を行うことができる。つまり、屋内に居ながらにしてガス使用量や異常遮断表示を見ることやガス供給の遮断を復帰するスイッチを操作することができる。
【発明を実施するための最良の形態】
【００１１】
第１の発明は、ガスメータの各種情報を屋内で確認することが可能なガス供給システムであって、家庭で使用するガス使用量を計測すると共に異常時にガスの供給を遮断するガスメータと、器具の運転操作及び運転の状態を表示する機能を有するリモコンとを備え、ガスメータとリモコンを双方向に情報の伝達が可能な形態で接続し、ガスメータからリモコンに対して、ガス使用量の情報あるいは異常遮断情報を伝達し、リモコンからガスメータに対して、所定の操作指示情報を伝達するようにしたことを特徴とするものである。
【００１２】
そして、リモコンとガスメータとの間において情報の伝達ができ、リモコンの表示部にガスメータの情報を表示することや、リモコンのスイッチを操作することによりガスメータの状態を制御することができる。
【００１３】
第２の発明は、リモコンの表示部に、器具の運転状態とガスメータからの使用量情報及び異常遮断情報を表示するようにしたことを特徴とするものである。
【００１４】
そして、一般的に屋内に設置される器具の遠隔制御用リモコンの表示部を利用して、ガスメータからの各種情報を表示するようにしているため、別途、表示器を設けることなく、屋内に居ながらにしてガス使用量や異常遮断表示を確認することができる。
【００１５】
第３の発明は、リモコンに設けたスイッチの操作で、器具の運転操作とガスメータの遮断復帰動作を行うようにしたことを特徴とするものである。
【００１６】
そして、一般的に屋内に設置される器具の遠隔制御用リモコンに設けた操作スイッチにより、ガスメータの遮断復帰動作を行うようにしているため、復帰動作を行う場合に屋外のガスメータまで行かなくても、屋内に居ながらにしてリモコンのスイッチ操作で遮断復帰動作を行うことができる。
【００１７】
以下、本発明の実施の形態について、図面を参照しながら説明する。なお、この実施の形態によって本発明が限定されるものではない。
【００１８】
（実施の形態１）
図１は本発明の実施の形態１としてのガス供給システムで、１は給湯器でガスを燃料とし、水を加熱し湯を台所や浴室に供給する。
【００１９】
２はリモコンで給湯器１に接続し給湯器１の運転操作をするスイッチ３と給湯器１の運転状態を表示する表示器４を有する。
【００２０】
５はガスメータで給湯器１にガス配管６で接続され、供給するガス量を計測しガス量の異常な使用時には内蔵する弁７を閉じて給湯器１へのガス供給を遮断する。
【００２１】
リモコン２とガスメータ５とを有線８で接続し給湯器１のガス使用量を前記給湯器１のリモコン２の表示器４に表示することができる。
【００２２】
また、ガスメータ５が給湯器１へのガス供給を遮断した信号を有線８を通じて給湯器１のリモコン２に伝え、表示器４に表示することができる。
【００２３】
また、ガスメータ５の閉じた弁７を開けて、給湯器１へのガス供給を復帰するスイッチ９を給湯器１のリモコン２に備えることにより、給湯器１のリモコン２に有る復帰スイッチ９を操作すると有線８を通じてガスメーター５の弁７を開け給湯器１へのガスの供給を復帰することができる。
【図面の簡単な説明】
【００２４】
【図１】本発明の実施例１のガス供給システムを示す構成図
【図２】従来のガス供給システムを示す構成図
【符号の説明】
【００２５】
１  給湯器
２  リモコン
４  表示器
５  ガスメーター
７  弁
８  有線
９  復帰スイッチ
【図１】
2008224207.tif 000003
【図２】
2008224207.tif 000004